(57)【特許請求の範囲】
【請求項１】
圧電素子にリード線が接続され、前記リード線を介して加えられた電圧により前記圧電素子が振動するアクチュエータであって、
前記圧電素子の下方に配置され、前記圧電素子の一部が固定されるフレームと、
前記フレームの下方に配置される基板とを有し、
前記フレーム及び前記基板には、それぞれ開口部が形成されており、
前記リード線は、
前記フレームに形成された開口部及び前記基板に形成された開口部を通って、前記圧電素子の振動方向に対して直交する方向において、直線形状にて前記圧電素子に接続されることを特徴とするアクチュエータ。
【請求項２】
前記フレームに形成された開口部は、
前記圧電素子が振動するときに前記リード線が当該開口部の表面に接触しない径を有することを特徴とする請求項１に記載のアクチュエータ。
【請求項３】
前記リード線は、
前記圧電素子及び前記基板に形成された開口部において半田付けされることを特徴とする請求項１または２に記載のアクチュエータ。
【請求項４】
圧電素子に対してリード線を接続するリード線配線方法であって、
前記圧電素子の下方に配置され前記圧電素子の一部が固定されるフレームと、前記フレームの下方に配置される基板とに、それぞれ開口部を形成させ、
前記リード線を、
前記フレームに形成された開口部及び前記基板に形成された開口部に通し、前記圧電素子の振動方向に対して直交する方向において、直線形状にて前記圧電素子に接続することを特徴とするリード線配線方法。
【発明の詳細な説明】
【技術分野】
【０００１】
本発明は、リード線を介して圧電素子に電圧を加えることで圧電素子を振動させるアクチュエータ及びリード線配線方法に関する。
【背景技術】
【０００２】
圧電素子を備えたアクチュエータでは、圧電素子（圧電振動子）にパルス電圧を繰り返し加えることで発生する伸縮運動の振動を動力源としている。そして、圧電素子に電圧を供給するためには、リード線の接続（配線）が必要となる。
【０００３】
ここで、本発明に関連するリード線の接続形態の一例について図３に示す。図３の例では、一端がＦＰＣ（Flexible Printed Circuit：可撓性プリント基板）に半田付けされたリード線が、圧電素子に対して半田付けにより接続されている。このリード線は、圧電素子とＦＰＣとの間において、宙に浮いた状態となって接続されており（空中配線）、かつ、湾曲（たるみを持った）形状にフォーミングされて接続されている。このような接続形態にする理由としては、圧電素子に外力を与えないようにするとともに、周辺部品との接触を避けるようにするためである。このようなリード線の接続形態は、例えば特許文献１にも開示されている。
【０００４】
なお、図３に示す構成は、ブルーレイディスクドライブに内蔵される、レンズの収差を補正するアクチュエータの一例である。図３において、圧電素子１の一端に備えられるおもり８は、図示しない弾性接着剤によりフレーム２上に接着され、固定されている。そして、リード線４を介して圧電素子１に電圧が加えられると、圧電素子２は、矢印ａに示す方向に振動する。この振動は、圧電素子１のもう一端に備えられるシャフト９に伝えられる。シャフト９は、レンズ１１を保持するレンズ保持部材１０に接続されているため、圧電素子１の振動は、レンズ保持部材１０に伝えられる。これにより、レンズ保持部材１０は、圧電素子１の振動方向（矢印ａ）と同方向に振動する。
【先行技術文献】
【特許文献】
【０００５】
【特許文献１】特開２００３−１１９１号公報
【発明の概要】
【発明が解決しようとする課題】
【０００６】
しかしながら、図３に示すリード線の接続形態には、以下のような問題がある。
（１）リード線を湾曲させながらの空中配線は、作業者による手作業で行われるため、工数・作業時間が増大する。
（２）リード線の湾曲形状は、作業者が手作業により逐一フォーミングするため、品質にバラツキが生じる。
（３）リード線を湾曲させながらの空中配線は、圧電素子とＦＰＣとの間に適度な距離を必要とするため、配線スペースが増大する。
【０００７】
本発明は、上記事情に鑑みてなされたものであり、圧電素子に対するリード線の配線について、上記（１）〜（３）の問題を解消することにより、配線作業の効率化、品質の安定化、配線構造の簡素化を実現できるアクチュエータ及びリード線配線方法を提供することを目的とする。
【課題を解決するための手段】
【０００８】
かかる目的を達成するために、本発明の第１の態様は、圧電素子にリード線が接続され、リード線を介して加えられた電圧により圧電素子が振動するアクチュエータであって、リード線は、圧電素子の振動方向に対して直交する方向において、直線形状にて圧電素子に接続されることを特徴とする。
【０００９】
本発明の第２の態様は、圧電素子に対してリード線を接続するリード線配線方法であって、リード線を、圧電素子の振動方向に対して直交する方向において、直線形状にて圧電素子に接続することを特徴とする。
【発明の効果】
【００１０】
本発明によれば、圧電素子に対するリード線の配線について、配線作業の効率化、品質の安定化、配線構造の簡素化を実現することが可能となる。
【図面の簡単な説明】
【００１１】
【図１】本発明の一実施形態に係る圧電素子に対するリード線の接続形態の一例を示す外観斜視図である。
【図２】本発明の一実施形態に係る圧電素子に対するリード線の接続方法の遷移例を示す側面図である。
【図３】本発明に関連する圧電素子に対するリード線の接続形態の一例を示す外観斜視図である。
【発明を実施するための形態】
【００１２】
以下、本発明を実施するための形態（実施形態）について添付図面を参照して詳細に説明する。
【００１３】
まず、本実施形態の特徴について説明する。本実施形態は、圧電素子にリード線を接続する構成において、リード線を湾曲させての配線を行わずに、リード線を直線のまま、圧電素子の振動方向に直交するように配線する。そのために、圧電素子を保持するフレームに開口部（穴）を設け、その開口部の外側にＦＰＣを配置する。そして、開口部を介して、リード線を、圧電素子の振動方向に直交するように直線形状のまま挿入し、圧電素子に接続するようにする。このように構成することで、圧電素子とＦＰＣとの間において、リード線を直線形状かつ最短距離で接続することができる。なお、フレームに形成される開口部は、その内側の面がリード線と接触しないように十分な寸法を確保するようにする。以下、この本実施形態の特徴について具体的に説明する。
【００１４】
図１は、本実施形態のアクチュエータにおける圧電素子の近傍の構成を示す図である。図１に示す構成以外は、図３に示す構成と同様である（説明は上述したので省略する）。よって、本実施形態では、ブルーレイディスクドライブに内蔵される、レンズの収差を補正するアクチュエータを例として説明するが、これに限定されるものではない。
【００１５】
図１において、圧電素子１は、一端におもり８が備えられ、もう一端にシャフト９が備えられている。おもり８は、図示しない弾性接着剤によりフレーム２の上面に接着され、固定されている。圧電素子１の下方には、フレーム２が配置されている。フレーム２は、圧電素子１の左右の側面の下方に、２つの開口部７がそれぞれ設けられている。リード線４は、２つの開口部７を介して直線形状で挿入されており、圧電素子１の左右の側面に対して半田６により半田付けされている。なお、図１には図示していないが、フレーム２の底面にはＦＰＣが配置されており、リード線４はそのＦＰＣにおいて半田付けされている。このような構成において、リード線４を介して電圧が圧電素子１に与えられると、圧電素子１は、矢印ａに示す方向に振動する。この振動は、シャフト９を介して、図示しないレンズ保持部材等に伝達される。
【００１６】
次に、本実施形態のアクチュエータにおけるリード線の配線方法について、図２を用いて説明する。図２は、図１に示す圧電素子１を右方向から見た側面図である。
【００１７】
まず、図２（ａ）について説明する。圧電素子１の下方には、フレーム２が配置される。おもり８とフレーム２の上面は、弾性接着剤１２により接着され、固定される。フレーム２には、開口部７が形成されている。開口部７の径（矢印ｂで示す長さ）は、圧電素子１の振動の際に、リード線４が開口部７の表面（内側の面）に接触しない長さ（例えば、０．８ｍｍ〜１．０ｍｍ）とする。フレーム２の底面には、ＦＰＣ３が貼り合わせられている。このＦＰＣ３には、開口部７と対応する位置に、開口部１３が形成されている。この開口部１３の径は、リード線４が挿入でき、かつ、半田付けし易い大きさであればよい。図２（ａ）の例では、開口部１３の径は、開口部７の径よりも小さく（短く）なっている。リード線４は、開口部１３及び開口部７に対し、フレーム２の底面側から、矢印ｃに示す方向へ直線形状のまま挿入される。矢印ｃに示す方向は、圧電素子１の振動方向（矢印ａに示す方向）と直交する方向である。
【００１８】
次に、図２（ｂ）について説明する。図２（ｂ）は、図２（ａ）の状態の後を示している。リード線４は、開口部１３及び開口部７を通って圧電素子１の右側面に接触するように挿入され、圧電素子１の右側面において、半田６により半田付けされる。また、リード線４は、ＦＰＣ３の開口部１３において、半田５により半田付けされる。
【００１９】
次に、図２（ｃ）について説明する。図２（ｃ）は、図２（ｂ）の状態の後を示している。リード線４は、半田付けされた部分のそれぞれにおいて切断される。このようにして、本実施形態のアクチュエータにおけるリード線の配線が完了し、図１に示す構成が完成する。
【００２０】
以上説明したように、本実施形態によれば、圧電素子に対するリード線の配線について、リード線を湾曲させることなく、直線形状で配線できる。よって、手作業による配線の必要なく、機械による配線が可能となり、配線作業の効率化（配線にかかる工数・作業時間の短縮）、品質の安定化（配線のバラツキの防止）を実現できる。また、配線構造の簡素化（配線スペースの削減）を実現できるため、装置の小型化に寄与できる。また、図３に示す構成では、圧電素子の振動方向と同方向にリード線が配線されるため、圧電素子の振動に制約を与えたが、本実施形態では、圧電素子の振動方向に直交する方向にリード線が配線されるため、圧電素子の振動に制約を与えない。
【００２１】
以上、本発明の実施形態について説明したが、上記実施形態に限定されるものではなく、その要旨を逸脱しない範囲において種々の変形が可能である。
【符号の説明】
【００２２】
１    圧電素子
２    フレーム
３    ＦＰＣ
４    リード線
５、６    半田
７、１３    開口部
８    おもり
９    シャフト
１０    レンズ保持部材
１１    レンズ
１２    弾性接着剤
【図１】
0005689638.tif 000002
【図２】
0005689638.tif 000003
【図３】
0005689638.tif 000004